(57)【要約】      （修正有）【課題】対象物に傷をつけることなく優しく洗浄、掃除ができる手袋型クリーナーを提供する。【解決手段】手に装着可能な手袋型クリーナー１であって、手の平及び甲を覆う本体部２と、本体部から突設され、手の五本の指をそれぞれ覆う五つの突出部３と、を備え、本体部及び五つの突出部は、少なくとも手の平側の外表面が羊毛で覆われている。【選択図】図１
0003209670.tif 000002
【実用新案登録請求の範囲】
【請求項１】
手に装着可能な手袋型クリーナーであって、
前記手の平及び甲を覆う本体部と、
前記本体部から突設され、前記手袋型状に手の五本の指をそれぞれ覆う五つの突出部と、を備え、
前記本体部及び前記五つの突出部は、少なくとも前記手の平側の外表面が羊毛で覆われている
ことを特徴とする、手袋型クリーナー。
【請求項２】
前記本体部及び前記五つの突出部は、全外表面が羊毛で覆われている
ことを特徴とする、請求項１記載の手袋型クリーナー
【請求項３】
前記本体部に固定され、前記手の手首の周囲に密着する環状の密着部を更に備えている
ことを特徴とする、請求項１又は２記載の手袋型クリーナー。
【考案の詳細な説明】
【技術分野】
【０００１】  本考案は、手に装着可能な手袋型クリーナーに関する。
【背景技術】
【０００２】  例えば車体といったデリケートな対象物の洗浄，掃除では、対象物の表面に傷をつけないように柔らかい布やスポンジ等が使用される。一般に、作業者は、このような布やスポンジ等を手に握りしめた状態で洗浄，掃除を行う。これに対し、従来、手袋型に形成されたクリーナーが知られている。すなわち、作業者が手に嵌めて使用可能なものである。手袋型クリーナーであれば、作業者が手に握りしめておかなくても洗浄，掃除を行うことができるため、手の疲労感が低減され、作業が容易になる。【０００３】  これに関し、特許文献１には、短繊維を静電気植毛することにより形成された洗車用手袋が開示されている。この洗車用手袋によれば、静電気植毛を利用するため、繊維が毛羽立つことがないとされている。また、この洗車用手袋によれば、繊維に絡みついた異物が水により容易に流れ落ちるため、長く滞留して車体を傷つける虞がないとされている。
【先行技術文献】
【特許文献】
【０００４】
【特許文献１】特開２００３−５２６００号公報
【考案の概要】
【考案が解決しようとする課題】
【０００５】  特許文献１の技術は、洗車中に泥や砂利などの異物が手袋の立毛の中に入り込んで長く滞留すると、車体を傷つける虞があることへの着目から、手袋の繊維に異物が滞留しにくくなるようにしたものである。しかしながら、クリーナーにおいては、繊維に絡み込む異物よりも、クリーナー自体が対象物に傷をつけることなく対象物を優しく洗浄，掃除できることが重要である。この点、特許文献１の技術は、繊維に滞留した異物の除去に特化したものであるため、クリーナー自体の性能について改良の余地がある。【０００６】  本件は、上記のような課題に鑑み創案されたものであり、より性能を向上させた手袋型クリーナーを提供することを目的の一つとする。
【課題を解決するための手段】
【０００７】  （１）ここで開示する手袋型クリーナーは、手に装着可能なものであって、前記手の平及び甲を覆う本体部と、前記本体部から突設され、前記手の五本の指をそれぞれ覆う五つの突出部と、を備えている。また、前記本体部及び前記五つの突出部は、少なくとも前記手の平側の外表面が羊毛で覆われている。【０００８】  （２）前記本体部及び前記五つの突出部は、全外表面が羊毛で覆われていることが好ましい。【０００９】  （３）前記手袋型クリーナーは、前記本体部に固定された環状の密着部を更に備えることが好ましい。また、前記密着部は、前記手の手首の周囲に密着することが好ましい。
【考案の効果】
【００１０】  開示の手袋型クリーナーは、手の平及び甲を覆う本体部と、手の五本の指をそれぞれ覆う五つの突出部とを備えているため、作業者はこの手袋型クリーナーを手に嵌めた状態で作業を行うことができるとともに、突出部を利用して細かい（狭い）箇所の洗浄，掃除をも容易に行うことができる。また、本体部及び五つの突出部は、少なくとも手の平側の外表面が羊毛で覆われているため、対象物に傷を付けづらく、優しい洗浄，掃除が可能である。
【図面の簡単な説明】
【００１１】
【図１】一実施形態に係る手袋型クリーナーの平面図である。
【考案を実施するための形態】
【００１２】  図面を参照して、一実施形態としての手袋型クリーナーについて説明する。なお、以下に示す実施形態はあくまでも例示に過ぎず、以下の実施形態で明示しない種々の変形や技術の適用を排除する意図はない。
【００１３】［１．構成］
図１に示すように、本実施形態に係る手袋型クリーナー１は、手の形に形成され、作業者が手に装着可能なものである。手袋型クリーナー１は、手の平及び甲を覆う本体部２と、この本体部２から外側へ突設され、手の五本の指をそれぞれ覆う五つの突出部３とを備えている。すなわち、手袋型クリーナー１は、五本の指が全て分かれたグローブ型である。
【００１４】  本体部２及び突出部３は、何れも袋状に形成されている。また、本体部２の内部と各突出部３の内部とは、互いに連通している。
【００１５】  本体部２は、何れの突出部３よりも大きく形成されている。本体部２は、主に対象物の比較的大きな面を洗浄，掃除する場合に使用される。これに対し、突出部３は、主に対象物の比較的小さな面や狭い隙間を洗浄，掃除する場合に使用される。
【００１６】  本実施形態の本体部２及び五つの突出部３は、全外表面が羊毛で覆われている。なお、これに代えて、本体部２及び五つの突出部３は、片側の外表面のみが羊毛で覆われていてもよい。つまり、手袋型クリーナー１が作業者の手に装着された状態で、本体部２及び五つの突出部３の少なくとも手の平側の外表面が羊毛で覆われていれば、作業者は手の平や指の腹を使って対象物を洗浄，掃除することができる。
【００１７】  また、本実施形態に係る手袋型クリーナー１は、本体部２に固定された環状のゴムバンド４（密着部）を更に備えている。ゴムバンド４は、その径方向に伸縮可能に構成されている。本実施形態のゴムバンド４は、本体部２の開口（手の装着口）の近傍に縫い付けられている。ゴムバンド４は、手袋型クリーナー１が作業者の手に嵌められた状態では、作業者の手首の周囲に密着する。
【００１８】［２．作用，効果］
（１）上記のように、本実施形態に係る手袋型クリーナー１は、手の平及び甲を覆う本体部２と、手の五本の指をそれぞれ覆う五つの突出部３とを備えている。このため、作業者は、この手袋型クリーナー１を手に嵌めた状態で作業を行うことができるとともに、突出部３を利用して細かい（狭い）箇所の洗浄，掃除をも容易に行うことができる。
【００１９】  すなわち、上記の手袋型クリーナー１によれば、作業者が手に握りしめるのではなく手に嵌めて使用可能であることから、素手感覚で作業を行えるとともに、例えば物を持つといったことを、わざわざ手袋型クリーナー１を取り外さなくても容易に行える。また、手袋型クリーナー１によれば、突出部３を備えているため、布やスポンジ等を使う場合や親指と残りの四本の指とが分かれたミトン型の手袋を使う場合と比べて、より細かい部分の洗浄，掃除が可能となる。
【００２０】  さらに、手袋型クリーナー１によれば、本体部２及び五つの突出部３の少なくとも手の平側の外表面が羊毛で覆われているため、対象物に傷をつけづらく、優しい洗浄，掃除が可能である。つまり、羊毛は弾力性に富むため、対象物に対してソフトに当たることができ、対象物に対する応力集中を低減することができる。
【００２１】  また、羊毛は、弾性変形することで小さい隙間にも容易に入り込むことができるため、細かい（狭い）箇所の洗浄，掃除効果を高めることができる。これに加えて、羊毛は、羊の皮膚に生える天然のものであるため、人工的に縫い付けられた毛と比べて並び方が細かく、小さい隙間に入り込みやすい。手袋型クリーナー１によれば、これによっても細かい箇所の洗浄，掃除の効果を高めることができる。
【００２２】  また、羊毛は撥水性と吸湿性との両方を備えることから、洗浄時に適度な水分量を含むことができる。一般に、五本の指が分かれたタイプの手袋では、隣接する指と指との間の部分が密接するため乾きにくくなるが、手袋型クリーナー１であれば、突出部３の外表面が撥水性のある羊毛で覆われるため、隣接する突出部３の間を乾きやすくすることができる。したがって、手袋型クリーナー１によれば、突出部３の間が清潔に保たれやすく、長い製品寿命を確保することができる。
【００２３】  また、羊毛は使用を重ねるとフェルト状になることがあり、これを解消するにはブラッシングが効果的であるが、手袋型クリーナー１であれば、作業者が手に嵌めた状態でブラッシングをすることができるとともに、グローブ型であることからブラッシングにも作業者の手からずれにくい。このように、手袋型クリーナー１によれば、羊毛のメンテナンスに効果的なブラッシング作業を容易にすることができる。
【００２４】  （２）上記の手袋型クリーナー１は、本体部２及び五つの突出部３の全外表面が羊毛で覆われているため、作業者はこの手袋型クリーナー１の表面及び裏面の両方を洗浄，掃除に使用することができる。つまり、手袋型クリーナー１によれば、作業者の左右の何れの手にも装着可能であるため、利便性を向上させることができる。また、例えば車両のドアガラスとドアバイザーのように対向する二面の間に手袋型クリーナー１を挿入すれば、羊毛がこれらの二面に同時に当たることにより、これらの二面を同時に洗浄，掃除することができる。
【００２５】  （３）上記の手袋型クリーナー１は、手首の周囲に密着する環状のゴムバンド４を備えているため、手から更にずれにくくなる。このため、作業性を向上させることができる。
【００２６】［３．その他］
上述した実施形態に関わらず、それらの趣旨を逸脱しない範囲で種々変形して実施することができる。本実施形態の各構成は、必要に応じて取捨選択することができ、あるいは適宜組み合わせてもよい。
【００２７】  上述の実施形態では、手袋型クリーナー１がゴムバンド４を備える場合を例示したが、ゴムバンド４は省略されてもよい。また、上記のゴムバンド４に代えて、マジックテープ（登録商標）やボタン等により、手袋型クリーナー１が作業者の手首に密着するようにしてもよい。
【００２８】  なお、手袋型クリーナー１は、水分を含ませた状態で使用されてもよいし、乾いた状態で使用されてもよい。つまり、手袋型クリーナー１は、洗車や食器洗い等の水を用いる洗浄と、埃取りや拭き取り等の水を用いない掃除との双方に使用可能である。
【００２９】  また、手袋型クリーナー１は、車体のようにデリケートな対象物の洗浄，掃除に好適であるが、その適用対象は特に限定されない。例えば、水が入った状態の大きな水槽の内面を洗浄，掃除する場合に手袋型クリーナー１を使用すれば、作業者は手袋型クリーナー１を装着した状態でも五本の指を独立して動かせるため、泳ぎながら容易に作業を行うことができる。
【符号の説明】
【００３０】１  手袋型クリーナー
２  本体部
３  突出部
４  ゴムバンド（密着部）
【図１】
0003209670.tif 000003